(57)【要約】【課題】奇門遁甲に基づく占いに関する専門知識を有さない者でも、各方位の吉凶を容易且つ明瞭に知り得る方位図、その表示方法、方位図の利用方法及び前記方法を実施する端末装置を提供する。【解決手段】端末装置からサーバにアクセスした日付データに応じて、サーバが方位図データ及びクエリデータを検出して端末装置へ送信する。端末装置は受信したデータに基づいて色分け方位図６２を表示部３０に表示することで、各方位の吉凶を瞭然とする。【選択図】図１０
2005124640.tif 000002
【特許請求の範囲】
【請求項１】
占いに利用される方位図であって、
全方位が南、南西、西、北西、北、北東、東、南東の８方位に区分され、
各方位区分が、各方位の吉凶に応じて色分けされた色分け方位図として描画されている
ことを特徴とする占いに利用される方位図。
【請求項２】
請求項１記載の占いに利用される方位図において、
前記占いが奇門遁甲に基づく占いであり、
前記色分け方位図は、南方位が上方位置に描画されている
ことを特徴とする占いに利用される方位図。
【請求項３】
占いに利用される方位図を表示器に表示する方法であって、
全方位を南、南西、西、北西、北、北東、東、南東の８方位に区分して表示するステップと、
各方位区分を、各方位の吉凶に応じて色分けし、色分け方位図として表示するステップと
を有することを特徴とする占いに利用される方位図の表示方法。
【請求項４】
表示器に表示された、占い用方位図の利用方法であって、
全方位を南、南西、西、北西、北、北東、東、南東の８方位に区分して表示するステップと、
各方位区分を、各方位の吉凶に応じて色分けし、色分け方位図として表示するステップと、
表示された色分け方位図上で、所望の方位を選択するステップと、
選択された方位の運勢情報を表示するステップと
を有することを特徴とする占い用方位図の利用方法。
【請求項５】
表示部と入力部と制御部とを有し、無線または有線によりネットワークを介してサーバに接続される端末装置において、
前記制御部が、占いに利用される日単位の方位図と、前記日単位の方位図上の各方位の運勢情報が格納されるサーバに対して、前記ネットワークを介して日付データをキーとしてアクセスしたとき、アクセスした日に対応する日単位の方位図と各方位の運勢情報がデータとしてダウンロードされ、
前記制御部は、ダウンロードされたデータに基づき、前記表示部上に占いに利用される方位図を、全方位が南、南西、西、北西、北、北東、東、南東の８方位に区分され、各方位区分が各方位の吉凶に応じて色分けされた色分け方位図として表示し、前記入力部により前記色分け方位図中、所望の方位が選択されたとき、選択された方位の運勢情報を前記サーバよりダウンロードして前記表示部上に表示する
ことを特徴とする端末装置。
【発明の詳細な説明】
【技術分野】
【０００１】
本発明は、奇門遁甲等の占いに利用される方位図、その表示方法、方位図の利用方法及び前記方法を実施する端末装置に関し、詳しくは、各方位の吉凶に応じて色分けされた奇門遁甲に利用される方位図、その表示方法、方位図の利用方法及び前記方法を実施するための端末装置に関する。
【背景技術】
【０００２】
吉凶を判断する一手法として、奇門遁甲に基づく占いを挙げることができる。奇門遁甲とは、中華人民共和国もしくは中華民国等に古くから伝わる方位学の一種で、万物が有する「気」の流れに基づいて各方位の吉凶を判断する手法である。奇門遁甲による運勢情報は、古来より運勢情報を必要とする人々に対して行動指針を提供し、今日に至っても多くの支持を得ている。しかしながら、方位の吉凶に関する情報を得るためには専門の知識が必要とされるため、一般的には専門家に運勢情報を提供してもらわねばならず、方位の吉凶や運勢情報を必要とする者が容易に情報を得ることは困難であるという問題が存在する。
【０００３】
従来から、運勢情報を知り得る方法として、周易占いによる運勢情報を提供する技術（特許文献１）や西洋占星術による運勢情報を提供する技術（特許文献２）が開示されている。
【０００４】
【特許文献１】特開２００１−２９３２４４号公報
【特許文献２】特開２００２−３１５９５３号公報
【発明の開示】
【発明が解決しようとする課題】
【０００５】
しかしながら、従来の技術には奇門遁甲に基づく占いによる運勢情報を提供する技術は皆無であり、奇門遁甲に基づく占いによる運勢情報に対する需要が高まる今日では、前述の通り、専門家が情報を直接提供、説明することで需要に応じることは大変困難である。前述の需要に応じるために、専門的な知識を有さない者（素人）でも奇門遁甲に基づく占いによる各方位の吉凶を即座に判断でき、また、各方位の運勢情報が簡易に提供されることが求められる。
【０００６】
この発明はこのような課題を考慮してなされたものであって、専門知識を有さない者（素人）でも各方位の吉凶を明瞭に判断することを可能とする占いに利用される方位図、その表示方法、方位図の利用方法及び端末装置を提供することを目的とする。
【課題を解決するための手段】
【０００７】
前記課題を解決するため、本発明にかかる方位図は、占いに利用される方位図であって、全方位が南、南西、西、北西、北、北東、東、南東の８方位に区分され、各方位区分が、各方位の吉凶に応じて色分けされた色分け方位図として描画されていることを特徴とする。この場合、色分け方位図は、奇門遁甲に基づく占いを採用したとき、南方位が上方位置に描画されていることが好ましい。
【０００８】
また、本発明にかかる表示方法は、占いに利用される方位図を表示器に表示する方法であって、全方位を南、南西、西、北西、北、北東、東、南東の８方位に区分して表示するステップと、各方位区分を、各方位の吉凶に応じて色分けし、色分け方位図として表示するステップとを有することを特徴とする。
【０００９】
さらに、本発明にかかる占い用方位図の利用方法は、前記表示器に表示された占い用方位図の利用方法であって、全方位を南、南西、西、北西、北、北東、東、南東の８方位に区分して表示するステップと、各方位区分を、各方位の吉凶に応じて色分けし、色分け方位図として表示するステップと、表示された色分け方位図上で、所望の方位を選択するステップと、選択された方位の運勢情報を表示するステップとを有することを特徴とする。
【００１０】
本発明にかかる端末装置は、表示部と入力部と制御部とを有し、無線または有線によりネットワークを介してサーバに接続される端末装置において、前記制御部が、占いに利用される日単位の方位図と、前記日単位の方位図上の各方位の運勢情報が格納されるサーバに対して、前記ネットワークを介して日付データをキーとしてアクセスしたとき、アクセスした日に対応する日単位の方位図と各方位の運勢情報がデータとしてダウンロードされ、前記制御部は、ダウンロードされたデータに基づき、前記表示部上に占いに利用される方位図を、全方位が南、南西、西、北西、北、北東、東、南東の８方位に区分され、各方位区分が各方位の吉凶に応じて色分けされた色分け方位図として表示し、前記入力部により前記色分け方位図中、所望の方位が選択されたとき、選択された方位の運勢情報を前記サーバよりダウンロードして前記表示部上に表示することを特徴とする。
【発明の効果】
【００１１】
本発明によれば、各方位の吉凶に応じて色分けされた色分け方位図が提供されるため、その色から各方位の吉凶について明瞭に判断することができるという効果が達成される。
【００１２】
また、本発明によれば、利用者が専門知識を有さない者（素人）でも、各方位の吉凶を即座に判断できる。
【００１３】
さらに、利用者が、吉凶に応じて色分けされた方位区分中、所望の方位を選択するだけで前記方位の運勢情報が表示されるので、運勢情報を簡易に知ることができるという効果が達成される。
【発明を実施するための最良の形態】
【００１４】
本発明にかかる占いに利用される方位図、その表示方法、方位図の利用方法について、前記方法を実施する端末装置を占いシステムに適用した場合の関係において、以下、図を用いて説明する。
【００１５】
図１は本発明にかかる占いに利用される方位図、その表示方法、方位図の利用方法を実施する端末装置、サーバ及びネットワークを含む一実施形態にかかる占いシステム１０の全体構成図である。
【００１６】
この占いシステム１０は、基本的に、サーバ１２と端末装置１４とを備え、サーバ１２と端末装置１４とはインターネット等のネットワーク１６により相互に接続されている。
【００１７】
なお、本実施形態では、サーバ１２と端末装置１４との双方向通信を前提としているが、双方向通信に限らず、サーバ１２から放送等により単方向で占い情報がダウンロードされる占いシステムにも適用できる。
【００１８】
端末装置１４は、携帯電話（またはPHS：Personal Handyphone System）１４ａのように無線によってネットワーク１６に接続されていてもよく、パーソナルコンピュータ１４ｂや個人用携帯情報端末（PDA：Personal Digital Assistance）１４ｃのように有線によってネットワーク１６に接続されていてもよい。端末装置１４には、プリンタ等の出力装置１８が接続されている。
【００１９】
図２は、携帯電話１４ａの構成を示している。携帯電話１４ａには、アンテナ２０に接続されたアンテナ共用器２２を介し、受信部２４と送信部２６が設けられる。受信部２４と送信部２６は、図示しないＣＰＵ（中央制御装置）、ＲＯＭ（読出専用メモリ）、ＲＡＭ（ランダムアクセスメモリ）等を有するマイクロコンピュータ（制御部）２８に接続され、マイクロコンピュータ２８は表示部（表示器）３０、入力部３２及び送受話器３４に接続される。また、マイクロコンピュータ２８には、ＣＰＵの他に、計時手段としてのリアルタイムクロック、カレンダが含まれる。
【００２０】
携帯電話１４ａは、携帯電話１４ａのアンテナ２０と図示しない基地局を経由して、公衆通信網等のネットワーク１６を介してサーバ１２に接続され、携帯電話１４ａとサーバ１２間でのデータの送受信が可能になる。
【００２１】
図３は、パーソナルコンピュータ１４ｂ等のように有線にてネットワーク１６に接続される端末装置１４の構成を示す。ネットワーク１６側にはルータやターミナルアダプタ等の終端装置３６が設置され、終端装置３６は端末装置１４のインターフェース部（Ｉ／Ｆ）３８の一端側に接続され、インターフェース部３８の他端側には、バス３９が設けられる。バス３９には、ＣＰＵ４０、ＲＯＭ４２、ＲＡＭ４４が設置され、さらに表示部（表示器）４６及び入力部４８が接続される。ＣＰＵ４０には、制御手段の他、計時手段としてのリアルタイムクロック、カレンダが含まれる。
【００２２】
例えば、パーソナルコンピュータ１４ｂは、前記パーソナルコンピュータ１４ｂのインターフェース部３８から終端装置３６を経由し、ネットワーク１６を介してサーバ１２に接続され、パーソナルコンピュータ１４ｂとサーバ１２間でのデータの送受信が可能となる。
【００２３】
図１に示すように、サーバ１２は、それぞれデータベースである方位図データ５０と吉凶情報テーブル５２と運勢情報テーブル５４とを有し、さらに、吉凶情報テーブル５２と運勢情報テーブル５４が保有する情報を検索、表示するアプリケーションプログラム５６を有する。
【００２４】
図４に示されるように、方位図データ５０に基づいて表示される方位図５８は、方位区分Ａ１〜Ａ８の８つの方位に区分され、前記方位区分Ａ１〜Ａ８は、例えば、それぞれ順に南、南西、西、北西、北、北東、東、南東に対応する。また、方位図５８が、奇門遁甲に基づく占いに使用される場合には、奇門遁甲の慣例に従い、南方位を上方位置に描画する。
【００２５】
次に、図５に吉凶情報テーブル５２と運勢情報テーブル５４の構成を示す。吉凶情報テーブル５２には、キーとなる日付データ（年月日データ）ａ０と、方位図５８が有する８つの方位区分Ａ１〜Ａ８にそれぞれ対応する方位ＩＤデータａ１〜ａ８とが格納される。
【００２６】
また、運勢情報テーブル５４には、キーとなる方位ＩＤデータｂ０と、吉凶判別データｂ１と、吉凶色別データｂ２と、運勢情報データｂ３とが格納される。
【００２７】
図６には、吉凶情報テーブル５２に格納されるデータに関し、奇門遁甲に基づく占いに沿った具体例を示す。奇門遁甲に基づくと、方位には１００種の相が存在することから、方位ＩＤデータａ１〜ａ８に格納される値は１〜１００の間とする。
【００２８】
図７には、運勢情報テーブル５４に格納されるデータに関し、奇門遁甲に基づく占いに沿った具体例を示す。奇門遁甲に基づくと、前述した１００の相に応じて、各方位は、より吉方から順に「大吉方」「小吉方」「並の方」「小殺方」「大殺方」の大きく５段階に分類されることから、吉凶判別データｂ１に格納される値は１〜５とする。吉凶色別データｂ２には、吉凶判別データｂ１に応じて、例えば「大吉方」を「赤」、「小吉方」を「ピンク」、「並の方」を「白」、「小殺方」を「緑」、「大殺方」を「青」とするような色データが格納される。運勢情報データｂ３に格納されるデータの具体例は、長文であるため図７では省略して後述する。
【００２９】
以下、携帯電話１４ａを端末装置１４の一例として、奇門遁甲に基づく占いを実施した場合の占いシステム１０の動作について説明する。
【００３０】
図８は、利用者による携帯電話１４ａの入力部３２への入力操作に応じて、携帯電話１４ａの表示部３０に方位図５８が表示される一連の動作を示すフローチャートである。
【００３１】
まず、利用者が携帯電話１４ａの入力部３２を操作することにより、携帯電話１４ａ内のマイクロコンピュータ２８がサーバ１２へアクセスすると、ステップＳ１１においてマイクロコンピュータ２８が保持している日付データａ０及び電話番号が携帯電話１４ａの送信部２６等を通じてサーバ１２へ送信される。日付データａ０は、携帯電話１４ａのマイクロコンピュータ２８に含まれるカレンダによって決定される。
【００３２】
続いてステップＳ１２において、サーバ１２が日付データａ０を受信すると、日付データａ０をキーとして、ステップＳ１３において方位ＩＤデータａ１〜ａ８がそれぞれアプリケーションプログラム５６によって吉凶情報テーブル５２より検出される。
【００３３】
さらに、ステップＳ１４〜Ｓ１６において、ステップＳ１３にて検出された方位ＩＤデータａ１〜ａ８にそれぞれ対応する吉凶判別データｂ１が検索され、ステップＳ１７において、アプリケーションプログラム５６は図９に示すようなクエリデータ６０を作成する。
【００３４】
そして、ステップＳ１８において、方位図データ５０とクエリデータ６０とがサーバ１２から携帯電話１４ａに送信される。
【００３５】
送信された方位図データ５０とクエリデータ６０とがステップＳ１９において携帯電話１４ａのアンテナ２０、アンテナ共用器２２及び受信部２４を通じてマイクロコンピュータ２８で受信される。ステップＳ２０において、マイクロコンピュータ２８は、方位図データ５０とクエリデータ６０に基づいて方位図５８が着色された色分け方位図６２を携帯電話１４ａの表示部３０上に表示する。
【００３６】
この際、携帯電話１４ａに、プリンタ等の出力装置１８を接続することで、表示部３０上に表示された色分け方位図６２が描画されたハードコピーを出力することができる。
【００３７】
図１０は、表示部３０上にソフトコピーとして表示された色分け方位図６２の一例を示す。前述した通り、吉凶情報テーブル５２内の吉凶色別データｂ２には、吉凶判別データｂ１に対応した色データが格納されており、方位ＩＤデータａ１〜ａ８に対応した方位図５８内の各方位区分Ａ１〜Ａ８が、それぞれ吉凶色別データｂ２のデータに従って着色されることによって、方位図５８の各方位の吉凶について明瞭にした色分け方位図６２が得られる。
【００３８】
すなわち、この場合、南方位は赤色に着色されていることから「大吉方」であり、西方位や北方位は白色に着色されていることから「並の方」であり、一方、東方位は青色に着色されていることから「大殺方」であることが即座に判断できる。
【００３９】
また、表示部３０に表示された色分け方位図６２上には、各方位区分Ａ１〜Ａ８に対応してそれぞれ「１」〜「８」の数字が表示される。
【００４０】
さらに、前記の通り表示された色分け方位図６２上の各方位の運勢情報を表示部３０上に表示させる場合の動作について、図１１にフローチャートを示す。
【００４１】
ステップＳ２１において、利用者が運勢情報を知り得たい方位の数字に対応するダイアルボタン（入力部）を押すことにより、色分け方位図６２の中の方位区分Ａ１〜Ａ８より１方位が選択され、前記選択された方位区分Ａｎに対応した方位ＩＤデータａｎが携帯電話１４ａからサーバ１２へ送信される。
【００４２】
続いてステップＳ２２において、サーバ１２は、選択された方位区分Ａｎの方位ＩＤデータａｎを受信し、ステップＳ２３において、方位ＩＤデータａｎに対応した運勢情報データｂ３が運勢情報テーブル５４から得られる。ステップＳ２４において、サーバ１２から携帯電話１４ａへ運勢情報データｂ３が送信され、ステップＳ２５において携帯電話１４ａが運勢情報データｂ３を受信すると、ステップＳ２６において、携帯電話１４ａの表示部３０上に運勢情報データｂ３に基づいた運勢情報Ｂ３が出力される。
【００４３】
運勢情報データｂ３の内容は、詳細な運勢情報であり、「大吉方」の一例としては、「青竜返首（運勢の名）  精神が充実して仕事、金運が上昇。面接試験、株、勝負事に吉。この方位をとれば、あなたの前途はまさに洋々。これまでに味わったこともない強運が訪れ、次々と夢を実現することができます。例えば、企画や立案といった仕事面では、それまで思いも及ばなかったアイデアが次から次へと生まれ、人々をアッといわせます。そして、それを実現化する段になっても、その精神面の充実ぶりは失われることはなく、向かうところ敵なしの風情で、成功に向かってまっしぐらに突き進むことができます。また、この方位では、内面の充実により他を圧倒しますから、入学試験や就職試験でも、普段の実力以上のものを発揮。無理と思われた難関も、あっさりクリアできます。よく、実力はあるのに、ここ一番になると力が出しきれないという人がいますが、この方位をとれば、まったく心配なし。実力を十二分に、どころか、まさに神がかりな力を発揮できるでしょう。」がある。
【００４４】
「並の方」の一例としては、「永不発芽（運勢の名）  悪いことが起きやすくなるが、後は良くなる。あらかじめ吉方取りをしている方にとっては、むしろ吉の方位といえます。小さなアクシデントが起こっても、いうなればそれは陣痛の痛み。そこから生まれる新しい良き事に目を向け、小さなアクシデントにあわてふためかないようにしましょう。」がある。
【００４５】
「大殺方」の一例としては、「伏宮催残（運勢の名）  肝心な時に失敗し、それまでの地位や名誉、財産をアッという間に失ってしまうことが…。その打撃で病気になってしまうことも。例えば、会社勤めの人がこの方位をとると、やることなすことがうまくいかなくなります。重要な書類を紛失したり、大切な伝言を伝え忘れたりといった、普段ならするはずもないミスを犯してしまいます。しかもそれが致命的なミスとなり、社内での地位を危うくします。また、肉欲、金銭欲、物質欲、名誉欲といった邪悪な欲望が心の中に生まれ、どんな手段を使っても欲しいものを手に入れようとやっきになってしまうので、心を穏やかに保つように心がけましょう。」等の文章が格納されている。
【図面の簡単な説明】
【００４６】
【図１】本発明にかかる方位図及びその表示方法、利用方法を実施するための端末装置を含む占いシステム全体の構成図である。
【図２】無線によってネットワークに接続される携帯電話の概略構成図である。
【図３】有線によってネットワークに接続される端末装置の概略構成図である。
【図４】本発明にかかる方位図の説明図である。
【図５】本発明を実施する占いシステムにおけるデータベースのデータ構成説明図である。
【図６】図５に示す吉凶情報テーブルの具体例である。
【図７】図５に示す運勢情報テーブルの具体例である。
【図８】図１に示す占いシステムの動作による色分け方位図の表示に関するフローチャートである。
【図９】図１に示す占いシステムの動作によって作成されるクエリデータの具体例である。
【図１０】本発明にかかる色分け方位図の具体例である。
【図１１】図１に示す占いシステムの動作による運勢情報の表示に関するフローチャートである。
【符号の説明】
【００４７】
１０…占いシステム                １２…サーバ
１４…端末装置                    １４ａ…携帯電話
１４ｂ…パーソナルコンピュータ    １４ｃ…個人用携帯情報端末
１６…ネットワーク                １８…出力装置
２０…アンテナ                    ２２…アンテナ共用器
２４…受信部                      ２６…送信部
２８…マイクロコンピュータ        ３０、４６…表示部
３２、４８…入力部                ３４…送受話器
３６…終端装置                    ３８…インターフェース部
３９…バス                        ４０…ＣＰＵ
４２…ＲＯＭ                      ４４…ＲＡＭ
５０…方位図データ                ５２…吉凶情報テーブル
５４…運勢情報テーブル            ５６…アプリケーションプログラム
５８…方位図                      ６０…クエリデータ
６２…色分け方位図                ａ０…日付データ
Ａ１〜Ａ８…方位区分              ａ１〜ａ８、ｂ０…方位ＩＤデータ
ｂ１…吉凶判別データ              ｂ２…吉凶色別データ
ｂ３…運勢情報データ
【図１】
2005124640.tif 000003
【図２】
2005124640.tif 000004
【図３】
2005124640.tif 000005
【図４】
2005124640.tif 000006
【図５】
2005124640.tif 000007
【図６】
2005124640.tif 000008
【図７】
2005124640.tif 000009
【図８】
2005124640.tif 000010
【図９】
2005124640.tif 000011
【図１０】
2005124640.tif 000012
【図１１】
2005124640.tif 000013